【手続補正書】
【提出日】平成16年5月25日(2004.5.25)
【手続補正１】
【補正対象書類名】特許請求の範囲
【補正対象項目名】全文
【補正方法】変更
【補正の内容】
【特許請求の範囲】
【請求項１】
ａ）互いに反対側に配置され、互いに略平行に配置され、実質的に平らである第１および第２の荷重支持面と、
ｂ）互いに反対側に配置され、前記第１および第２の荷重支持面のそれぞれに交差している第１および第２の端部と、
ｃ）互いに反対側に配置され、互いに略平行に配置され、前記第１および第２の荷重支持面のそれぞれと前記第１および第２の端部のそれぞれに交差している、第１および第２の側面と、
ｄ）建築用ブロック内に形成されていて、前記荷重支持面に達するよう前記荷重支持面の間を渡って設けられていて、前記第１と第２の端部のそれぞれ、および、前記第１と第２の側面のそれぞれから一定の間隔を置いて配置されている、第１の内部芯と、
ｅ）前記第１と第２の各端部内に形成され、前記荷重支持面に達するよう前記荷重支持面の間を渡って設けられている末端芯部と、
ｆ）前記荷重支持面のうちの一つから突き出ていて、前記第１の内部芯の周囲の少なくとも一部を形成している連結部と、
を備え、
前記連結部と前記末端芯部は、一つの建築用ブロックの連結部が、直面する別の建築用ブロックの末端芯部を形成している表面と直面できるように形作られていて、
ｇ）互いに第１と第２の高さで建築用ブロックを互い違いに置くと同時に、第１の高さにある建築用ブロックの連結部を第２の高さにある建築用ブロックの末端芯部に据え付けることができるようになっている、
建築用ブロック。
【請求項２】
ａ）建築用ブロック内に形成されており、前記荷重支持面に達するよう前記荷重支持面の間を渡って設けられていて、前記第１と第２の端部のそれぞれ、前記第１と第２の側面のそれぞれ、および、前記第１の内部芯から一定の間隔を置いて配置されている、第２の内部芯をも備え、
ｂ）前記連結部のサイズは、前記連結部を前記第１の内部芯に据え付けることができない程に十分に大きいものであり、且つ、
ｃ）前記連結部のサイズは、前記連結部を前記第２の内部芯に据え付けることができる程に十分に小さいものである、
請求項１に記載の建築用ブロック。
【請求項３】
ａ）建築用ブロック内に形成されており、前記荷重支持面に達するよう前記荷重支持面の間を渡って設けられていて、前記第１と第２の端部のそれぞれ、前記第１と第２の側面のそれぞれ、および、前記第１の内部芯から一定の間隔を置いて配置されている、第２の内部芯をも備え、
ｂ）前記連結部の形状は、前記連結部を前記第１の内部芯に据え付けることができないような形状であり、且つ、
ｃ）前記連結部の形状は、前記連結部を前記第２の内部芯に据え付けることができるような形状である、
請求項１に記載の建築用ブロック。
【請求項４】
前記側面のそれぞれは、ざらつき化されたものである、請求項１に記載の建築用ブロック。
【請求項５】
鋳型から形成されていて、前記側面のそれぞれは、ざらざらとした表面となるように他の石造物から分割されたものである、請求項１に記載の建築用ブロック。
【請求項６】
前記端部のそれぞれは、前記側面に対して傾斜している面を含むものである、請求項１に記載の建築用ブロック。
【請求項７】
前記端部のそれぞれは、前記側面に対して傾斜した互いに平行な面を含むものである、請求項１に記載の建築用ブロック。
【請求項８】
前記端部のそれぞれは、前記側面に対して傾斜し且つ互いに傾斜した面を含むものである、請求項１に記載の建築用ブロック。
【請求項９】
前記内部芯、前記連結部、前記末端芯部のそれぞれは弓形の形状である、請求項１に記載の建築用ブロック。
【請求項１０】
前記連結部は、建築用ブロックを分割するための空間を定めるために互いに一定の間隔を置いて配置されている第１および第２の連結片を備えたものである、請求項１に記載の建築用ブロック。
【請求項１１】
実質的に平らである前記第１と第２の荷重支持面のそれぞれは、前記連結部、前記第１の内部芯および前記末端芯部を除いて、平らでない特徴を９９％有さないものである、請求項１に記載の建築用ブロック。
【請求項１２】
前記第１の荷重支持面の全ての点は、前記連結部、前記第１の内部芯および前記末端芯部を除いて、２つの平行な平面、すなわち、一定の距離だけ離されている基底面と最上面との間に含まれており、
前記第２の荷重支持面の全ての点は、２つの平行な平面、すなわち、一定の距離だけ離されている基底面と最上面との間に含まれていて、
前記一定の距離は、約８分の１インチよりも小さいものである、
請求項１に記載の建築用ブロック。
【請求項１３】
ａ）互いに反対側に配置され、互いに略平行に配置され、実質的に平らである第１および第２の荷重支持面と、
ｂ）互いに反対側に配置され、前記第１および第２の荷重支持面のそれぞれに交差している第１および第２の端部と、
ｃ）互いに反対側に配置され、互いに略平行に配置され、前記第１および第２の荷重支持面のそれぞれと前記第１および第２の端部のそれぞれに交差している、第１および第２の側面と、
ｄ）建築用ブロック内に形成されており、前記荷重支持面に達するよう前記荷重支持面の間を渡って設けられていて、前記第１と第２の端部のそれぞれ、および、前記第１と第２の側面のそれぞれから一定の間隔を置いて且つ互いに一定の間隔を置いて配置されていて、半径を有する、一対の第１の内部芯と、
ｅ）建築用ブロック内に形成されており、前記荷重支持面に達するよう前記荷重支持面の間を渡って設けられていて、前記第１と第２の端部のそれぞれ、および、前記第１と第２の側面のそれぞれから一定の間隔を置いて且つ前記第１の内部芯のそれぞれから一定の間隔を置いてそれらの中間に配置されていて、半径を有する、第２の内部芯と、
ｆ）前記第１と第２の各端部内に形成され、前記荷重支持面に達するよう前記荷重支持面の間を渡って設けられていて、半径を有する、末端芯部と、
ｇ）前記第１の内部芯のそれぞれの周囲にあり、前記荷重支持面のうちの一つから突き出ていて、他の建築用ブロックの第１の内部芯から排除されるように第１の内部芯の半径よりも大きく、かつ、他の建築用ブロックの末端芯部と第２の内部芯に据え付けることができるように末端芯部と第２の内部芯の半径よりも小さい外側の半径を有する連結部と、
を備え、
前記連結部のそれぞれと前記末端芯部は、一つの建築用ブロックの連結部の一つが、直面する別の建築用ブロックの末端芯部を形成している表面と直面できるように、且つ、前記建築用ブロックの他の連結部が前記第２の内部芯を形成している表面と直面できるように形作られていて、
ｈ）第１と第２の高さで建築用ブロックを互い違いに置くと、第１の高さにある建築用ブロックの連結部の１つを第２の高さにある建築用ブロックの末端芯部に据え付けると同時に、前記建築用ブロックの他の連結部を前記第２の高さにある前記建築用ブロックの第２の内部芯に据え付けることができるようになっている、
建築用ブロック。
【請求項１４】
前記側面のそれぞれは、ざらつき化されたものである、請求項１３に記載の建築用ブロック。
【請求項１５】
鋳型から形成されていて、前記側面のそれぞれは、ざらざらとした表面となるように他の石造物から分割されたものである、請求項１３に記載の建築用ブロック。
【請求項１６】
前記端部のそれぞれは、前記側面に対して傾斜している面を含むものである、請求項１３に記載の建築用ブロック。
【請求項１７】
前記端部のそれぞれは、前記側面に対して傾斜した互いに平行な面を含むものである、請求項１３に記載の建築用ブロック。
【請求項１８】
前記端部のそれぞれは、前記側面に対して傾斜し且つ互いに傾斜した面を含むものである、請求項１３に記載の建築用ブロック。
【請求項１９】
前記連結部の一つは、建築用ブロックを分割するための空間を定めるために互いに一定の間隔を置いて配置されている第１および第２の連結片を備えたものである、請求項１３に記載の建築用ブロック。
【請求項２０】
前記第２の内部芯は、建築用ブロックを分割するための補助として役立つ凹部を含む壁面によって形が決定されたものである、請求項１３に記載の建築用ブロック。
【請求項２１】
実質的に平らである前記第１と第２の荷重支持面のそれぞれは、前記連結部、前記第１の内部芯、前記第２の内部芯および前記末端芯部を除いて、平らでない特徴を９９％有さないものである、請求項１３に記載の建築用ブロック。
【請求項２２】
前記第１の荷重支持面の全ての点は、前記連結部、前記第１の内部芯、前記第２の内部芯および前記末端芯部を除いて、２つの平行な平面、すなわち、一定の距離だけ離されている基底面と最上面との間に含まれており、
前記第２の荷重支持面の全ての点は、２つの平行な平面、すなわち、一定の距離だけ離されている基底面と最上面との間に含まれていて、
前記一定の距離は、約８分の１インチよりも小さいものである、
請求項１３に記載の建築用ブロック。
【請求項２３】
ａ）互いに反対側に配置され、互いに略平行に配置され、実質的に平らである第１および第２の荷重支持面と、
ｂ）互いに反対側に配置され、前記第１および第２の荷重支持面のそれぞれに交差していて、一方が第１と第２の側面のそれぞれに対して略垂直であり、もう一方が第１と第２の側面のそれぞれに対して傾斜している平らな表面を一対含んでいる、第１および第２の端部と、
ｃ）互いに反対側に配置され、互いに略平行に配置され、前記第１および第２の荷重支持面のそれぞれと前記第１および第２の端部のそれぞれに交差している、第１および第２の側面と、
ｄ）建築用ブロック内に形成されており、前記荷重支持面に達するよう前記荷重支持面の間を渡って設けられていて、前記第１と第２の端部のそれぞれ、および、前記第１と第２の側面のそれぞれから一定の間隔を置いて配置されていて、半径を有する、第１の内部芯と、
ｅ）建築用ブロック内に形成されており、前記荷重支持面に達するよう前記荷重支持面の間を渡って設けられていて、前記第１と第２の端部のそれぞれ、前記第１と第２の側面のそれぞれ、および、前記第１の内部芯から一定の間隔を置いて配置されていて、半径を有する、第２の内部芯と、
ｆ）前記一対の平らな表面を有する前記端部内に形成され、前記平らな表面の中間にあり、前記荷重支持面に達するよう前記荷重支持面の間を渡って設けられていて、半径を有する、末端芯部と、
を備え、
ｇ）前記第１の内部芯の半径は、前記第２の内部芯および前記末端芯部の半径よりも小さく、
ｈ）前記第２の内部芯の半径は、前記末端芯部の半径とほぼ同じであり、
ｉ）前記第１の内部芯は、前記第２の内部芯と前記末端芯部との中間にある、
建築用ブロック。
【請求項２４】
複数のブロックが端と端とを合わせて配置されているブロック段を２段以上有してなる、壁の形成に有用な建築用ブロック・セットであって、
各ブロックは、上側および下側の平行する荷重支持面と、第１および第２の端部と、第１および第２の対向面と、を有しており、
上記ブロック段の荷重支持面は、芯と、上記芯内に受容可能な突き出した連結部と、を備える合わせ連結部を有しており、
上記ブロック段は、ブロックの各端部が半分の連結部を備え、且つ、１つの段におけるブロック対の隣接する端部同士が、隣接するブロック段におけるブロックによって支持される完全な合わせ連結部と連結する連結部を画定するように構成されている、
建築用ブロック・セット。
【請求項２５】
各ブロックは、上記ブロックの上記両荷重支持面間を伸長し且つ上記端部および上記対向面から離隔されてなる内部芯を伴って形成されている、請求項２４に記載の建築用ブロック・セット。
【請求項２６】
上記完全な連結部は上記第１の荷重支持面から上側へ突き出している、請求項２４記載の建築用ブロック・セット。
【請求項２７】
各ブロックは、上記ブロックの上記両荷重支持面間を伸長し且つ上記端部および上記対向面から離隔された内部芯を伴って形成されており、
上記完全な連結部は上記内部芯に位置合わせされている、
請求項２６に記載の建築用ブロック・セット。
【請求項２８】
上記完全な連結部は上記内部芯の周りに配置された環状のボスを備えている、請求項２７に記載の建築用ブロック・セット。
【請求項２９】
上記環状のボスは不連続性である、請求項２８に記載の建築用ブロック・セット。
【請求項３０】
上記半分の連結部は上記両荷重支持面間を伸長する外端芯部を備えており、
１つの段における隣同士のブロックの上記外端芯部は、組み合わされて、隣接する段におけるブロックの連結部を受容するように構成される芯を形成している、
請求項２４に記載の建築用ブロック・セット。
【請求項３１】
上記建築用ブロックがもう１つの建築用ブロックと端と端を合わせて配置されると、両端面が、組み合わされて、上記両建築用ブロックの間に上記第１の荷重支持面から上記第２の荷重支持面へ伸長する開口を形成する、
ように構成されている、請求項３０に記載の建築用ブロック・セット。
【請求項３２】
側面は美学上好ましい方法で仕上げられている、請求項２４に記載の建築用ブロック・セット。
【請求項３３】
上記ブロックの一方の端部は、半分の連結部を有しておらず、外観が上記ブロックの上記側面に類似している、請求項３２に記載の建築用ブロック・セット。
【請求項３４】
上記ブロックの両端部は半分の連結部を有している、請求項２４に記載の建築用ブロック・セット。
【請求項３５】
上記完全な連結部は上記第１の荷重支持面に穴または窪みを備えている、請求項２４に記載の建築用ブロック・セット。
【請求項３６】
上記半分の連結部は上記第１の荷重支持面から上側へ突き出している、請求項３５に記載の建築用ブロック・セット。
【請求項３７】
上記ブロックは末端芯部を有して形成されており、
上記半分の連結部は上記末端芯部の周りに配置される半円のボスを備えている、
請求項３６に記載の建築用ブロック・セット。
【請求項３８】
上記建築用ブロックをより容易に分割できるようにするスプリッタ・ウェッジをさらに備えている、請求項２４に記載の建築用ブロック。
【請求項３９】
上記内部芯の直近にスプリッタ・ウェッジをさらに備えている、請求項２５に記載の建築用ブロック・セット。
【請求項４０】
上記荷重支持面は概して台形として成形されている、請求項２４に記載の建築用ブロック・セット。
【請求項４１】
上記荷重支持面は概して平行四辺形として成形されている、請求項２４に記載の建築用ブロック・セット。
【請求項４２】
上記荷重支持面に第２の完全な連結部をさらに備えている、請求項４１に記載の建築用ブロック・セット。
【請求項４３】
上記荷重支持面に第３の完全な連結部をさらに備えている、請求項４２に記載の建築用ブロック・セット。
【請求項４４】
上記建築用ブロックは、上記建築用ブロックを貫いて上記第１の荷重支持面から上記第２の荷重支持面へ至る第２の芯を有している、請求項４１に記載の建築用ブロック・セット。
【請求項４５】
上記建築用ブロックは、上記建築用ブロックを貫いて上記第１の荷重支持面から上記第２の荷重支持面へ至る第３の芯を有している、請求項４４に記載の建築用ブロック・セット。
【請求項４６】
上記セットのブロックは、少なくとも２つのブロック段で構成される壁を形成するように配向され、１つのブロック段が別の段の上に積まれており、
少なくとも１つの段は、端と端とを合わせて並置された複数のブロックを有してなり、それらの各半分の連結部が、組み合わされて、隣接する段におけるブロックの完全な連結部に係合する１つの連結部を形成している、
請求項２４に記載の建築用ブロック・セット。
【請求項４７】
上記壁は上から見ると概して真っ直ぐである、請求項４６に記載の建築用ブロック・セット。
【請求項４８】
上記壁は上から見ると１つまたは複数の曲がった部分を含むものである、請求項４６に記載の建築用ブロック・セット。
【請求項４９】
上記壁は上から見ると１つまたは複数の角を含むものである、請求項４６に記載の建築用ブロック・セット。
【請求項５０】
第１および第２の平行する荷重支持面と、第１および第２の端部と、第１および第２の側面と、を備えた角ブロックをさらに備えており、
各ブロックは上記第１の荷重支持面上に配置された完全な連結部を含むものであり、
上記角ブロックの上記第１の端部は半分の連結部を有し且つ上記角ブロックの上記第２の端部は仕上げられた端面である、
請求項２４に記載の建築用ブロック・セット。
【請求項５１】
複数のブロックが端と端とを合わせて配置されているブロック段を２段以上有してなる、壁の形成に有用な建築用ブロック・セットであって、
各ブロックは第１の側面と、第２の側面と、第３の側面と、１つの端部と、第１および第２の荷重支持面と、を有しており、
各ブロックは上記第１の荷重支持面上に完全な連結部を含んでおり、
上記端部は半分の連結部を有していて、
同じ段における隣同士のブロックの上記半分の連結部は、組み合わされて、隣接する段におけるブロックの上記完全な連結部に係合するための構成の連結部を形成している、
建築用ブロック・セット。
【請求項５２】
上記建築用ブロックは上記建築用ブロックを貫く穴を伴って構成されており、
上記穴は上記第１の荷重支持面から上記第２の荷重支持面へと伸長している、
請求項５１に記載の建築用ブロック・セット。